(57)【特許請求の範囲】
【請求項１】
かかと部品が靴本体のかかと部からの着脱及び前記靴本体の甲部への着脱が可能な前記靴本体と前記かかと部品であって、前記靴本体のかかと部後端部の係止用ベルト挿通材は、前記靴本体の中底のレベルラインより上方に突出しない構成で前記靴本体のかかと部の後端部に設け、前記靴本体の甲部の係止用ベルト挿通材は、前記かかと部品を前記靴本体のかかと部側及び甲部側からの装着の際に前記靴本体の足入れ口側面部外面の面ファスナーと前記かかと部品のかかと部品延在部内面の面ファスナーが双方からの係止に対応する有効領域の位置から前記靴本体の前記かかと部後端部の係止用ベルト挿通材の位置と対する前記靴本体の甲部の位置に設けており、前記靴本体の前記かかと部後端部の係止用ベルト挿通材及び前記靴本体の前記甲部の係止用ベルト挿通材は、各々が前記かかと部品の外後面部に設けた下方に延在する帯状の係止用ベルトの挿通を可能な構成とし、該係止用ベルトを挿通後折返し該係止用ベルトに備えた面ファスナーの係止・係脱により前記係止用ベルトとの着脱が可能な構成を特徴とするかかと部開放可能な靴。
【請求項２】
かかと部品が靴本体のかかと部からの着脱及び前記靴本体の甲部への着脱が可能な前記靴本体と前記かかと部品であって、前記かかと部品の後方下部に前記靴本体のかかと部へ前記かかと部品を装着の際の浸水対策用の防水用樹脂材を有する構成を特徴とするかかと部開放可能な靴。
【請求項３】
かかと部品が靴本体のかかと部からの着脱及び前記靴本体の甲部への着脱が可能な前記靴本体と前記かかと部品であって、前記靴本体のかかと部後端部の係止用ベルト挿通材は、前記靴本体の中底のレベルラインより上方に突出しない構成で前記靴本体のかかと部の後端部に設け、前記靴本体の甲部の係止用ベルト挿通材は、前記かかと部品を前記靴本体のかかと部側及び甲部側からの装着の際に前記靴本体の足入れ口側面部外面の面ファスナーと前記かかと部品のかかと部品延在部内面の面ファスナーが双方からの係止に対応する有効領域の位置から前記靴本体の前記かかと部後端部の係止用ベルト挿通材の位置と対する前記靴本体の甲部の位置に設けており、前記靴本体の前記かかと部後端部の係止用ベルト挿通材及び前記靴本体の前記甲部の係止用ベルト挿通材は、各々が前記かかと部品の外後面部に設けた下方に延在する帯状の係止用ベルトの挿通を可能な構成とし、該係止用ベルトを挿通後折返し該係止用ベルトに備えた面ファスナーの係止・係脱により前記係止用ベルトとの着脱が可能な構成であり、前記かかと部品の後方下部に前記靴本体のかかと部へ前記かかと部品を装着の際の浸水対策用の防水用樹脂材を有する構成を特徴とするかかと部開放可能な靴。
【発明の詳細な説明】
【技術分野】
【０００１】
本発明は、靴のかかと部品を着脱又は旋回移動により靴のかかと位置から靴の甲位置に移設し靴のかかと部を開放するためのかかと部開放可能な靴に関するものである。    
【背景技術】
【０００２】
従来の靴ではかかと部は重要な部分であり、歩行時に足のかかと部と靴のかかと部を固定するために必要であるが、靴最大の開口部である足入れ口を足が塞ぐために靴の内部は蒸れやすい状態を招く構造であった。
【０００３】
また、従来の靴では靴の甲部に設けられた紐などの締付け具のみで足の締付け調整を行っていたが、足に対して厚み方向と巾方向の二方向しか締付け調整できない構造であった。
【０００４】
また、サンダルやかかと部分の高さが極端に低い靴などが既存であるが、かかと部分がないような履物では歩行時に足のかかと部と靴のかかと部が固定されずにパタパタと着脱と繰り返し足に負担を掛ける構造であった。
【０００５】
また、従来より、靴のかかと部の開閉または着脱可能な靴の考案または発明はされている。例えば、特許文献１には、脱ぎ履きを短時間で楽にできることを目的に、靴のかかと部を靴本体の後方に倒して靴のかかとを開閉することができる競技用運動靴が記載されている。
【０００６】
また、例えば、特許文献２には、靴の主要部品の意匠選択が可能であり、また破損等の際にも部品交換が容易に行うことができることを目的に、靴の主要部品が脱着可能な靴が記載されている。
【特許文献１】実用新案公開平７−２０８１２号  公報
【特許文献２】特許公開２００４−７３７９２号  公報
【発明の開示】
【発明が解決しようとする課題】
【０００７】
以上に述べた従来の靴では、一旦履いて出かけた靴では長時間履き続けていることにより靴の中が蒸れてきて不快感を感じても、脱ぐことが容易にできずストレスの一因や水虫の原因に繋がり、身体にも悪影響を及ぼしたり、またリラックスのために靴の半脱ぎ状態に至り、靴のかかと部を踏み大切な靴を傷める原因にもなっており靴の内部の通気性には容認できない問題がある。
【０００８】
また、季節による靴下の厚みの変化や、日中の足のムクミの変化などによる足が靴に対する状態は一定ではないので、従来の靴の甲部に設けられた紐などの締付け具の厚み方向と巾方向の二方向のみの締付け調整では足に対して十分な調整が行えない問題がある。
【０００９】
また、サンダルのようなかかと部分が開放した履物では通気性は良く蒸れなどに対する心配はないが、長時間・長距離の歩行には足に対する負担の度合いから適さないという問題がある。
【００１０】
また、上記のような実用新案公開平７−２０８１２号公報に記載されたかかと部開閉式シューズは、靴の脱ぎ履きの際にかかと部分の靴の後方に倒して開閉を行う目的の構造であり、そのためかかと部は靴本体のかかと位置に一部が連結されており、かかと部分が靴本体より分離できる構造ではなく、靴をサンダルのようなかかと部が開放された履物として使用することができない構造である。
【００１１】
また、上記のような特許公開２００４−７３７９２号公報に記載された部品脱着式靴は、靴の主要部品の意匠選択を行うことを要旨に構成されており、かかと部品も止め具の係止・係脱により脱着が可能な構造であるが、意匠面の部品選択を要旨に構成がなされており脱着可能なかかと部の構造ではあるが、使用途中の靴よりかかと部品を分離してサンダルのような形態へ換装後も使用を続け、またかかと部品を靴本体の甲部に装着・保管できる機能して靴をサンダルのようなかかと部が開放された履物として使用することができない構造である。
【００１２】
本発明は、
Ａ．外出時に長時間履き続けていると靴の中が蒸れて不快になることがある。
Ｂ．かかとがある靴でリラックスする為に靴を半脱ぎ状態でかかと部を踏み、靴を傷めることがある。
Ｃ．従来の靴の甲部に設けられた紐などの締付け具では、足に対して厚み方向と巾方向の二方向のみの締付け調整である。
Ｄ．サンダルのようなかかと部分の開放した履物は、通気性は良いが長時間・長距離の歩行には不向きである。
Ｅ．かかと部品が着脱できる靴において、分離したかかと部品の保管について考慮されていない。
Ｆ．靴のかかと部分が開放される構造の靴において、かかと部品を靴のかかと部分に装着した際の浸水対策について考慮されていない。
以上ような従来の靴が有していた課題を解決するためにかかと部開放可能な靴を提供するものである。
【課題を解決するための手段】
【００１３】
そして、本発明は上記目的を達成するために、請求項１に記載より、かかと部品(２)が靴本体(１)のかかと部からの着脱及び靴本体(１)の甲部への着脱が可能な靴本体(１)とかかと部品(２)であって、靴本体(１)のかかと部後端部の係止用ベルト挿通材(４ａ)は、靴本体(１)の中底(１３)のレベルラインより上方に突出しない構成で靴本体のかかと部の後端部に設け、靴本体(１)の甲部の係止用ベルト挿通材(４ｂ)は、かかと部品(２)を靴本体(１)のかかと部側及び甲部側からの装着の際に靴本体(１)の足入れ口側面部(１ａ)外面の面ファスナー(５ｃ)とかかと部品(２)のかかと部品延在部(２ａ)内面の面ファスナー(５ｄ)が双方からの係止に対応する有効領域(１４)の位置から、靴本体(１)のかかと部後端部の係止用ベルト挿通材(４ａ)の位置と対する靴本体(１)の甲部の位置に設けており、靴本体(１)のかかと部後端部の係止用ベルト挿通材(４ａ)及び靴本体(１)の甲部の係止用ベルト挿通材(４ｂ)は、各々がかかと部品(２)の外後面部に設けた下方に延在する帯状の係止用ベルト(３)の挿通を可能な構成とし、該係止用ベルト(３)を挿通後折返し該係止用ベルト(３)に備えた面ファスナー(５ａ)(５ｂ)の係止・係脱により係止用ベルト(３)との着脱が可能な構成を特徴とする。
【００１４】
また、請求項２に記載より、かかと部品(２)が靴本体(１)のかかと部からの着脱及び靴本体(１)の甲部への着脱が可能な靴本体(１)とかかと部品(２)であって、かかと部品(２)の後方下部に靴本体(１)のかかと部へかかと部品(２)を装着の際の浸水対策用の防水用樹脂材(９)を有する構成を特徴とする。
【００１５】
また、請求項３に記載より、かかと部品(２)が靴本体(１)のかかと部からの着脱及び靴本体(１)の甲部への着脱が可能な靴本体(１)とかかと部品(２)であって、靴本体(１)のかかと部後端部の係止用ベルト挿通材(４ａ)は、靴本体(１)の中底(１３)のレベルラインより上方に突出しない構成で靴本体のかかと部の後端部に設け、靴本体(１)の甲部の係止用ベルト挿通材(４ｂ)は、かかと部品(２)を靴本体(１)のかかと部側及び甲部側からの装着の際に靴本体(１)の足入れ口側面部(１ａ)外面の面ファスナー(５ｃ)とかかと部品(２)のかかと部品延在部(２ａ)内面の面ファスナー(５ｄ)が双方からの係止に対応する有効領域(１４)の位置から、靴本体(１)のかかと部後端部の係止用ベルト挿通材(４ａ)の位置と対する靴本体(１)の甲部の位置に設けており、靴本体(１)のかかと部後端部の係止用ベルト挿通材(４ａ)及び靴本体(１)の甲部の係止用ベルト挿通材(４ｂ)は、各々がかかと部品(２)の外後面部に設けた下方に延在する帯状の係止用ベルト(３)の挿通を可能な構成とし、該係止用ベルト(３)を挿通後折返し該係止用ベルト(３)に備えた面ファスナー(５ａ)(５ｂ)の係止・係脱により係止用ベルト(３)との着脱が可能な構成あり、かかと部品(２)の後方下部に靴本体(１)のかかと部へかかと部品(２)を装着の際の浸水対策用の防水用樹脂材(９)を有する構成を特徴とする。
【発明の効果】
【００１６】
上述したように本発明のかかと部開放可能な靴は、歩行時にはかかと部品は靴本体のかかと部に装着されかかとのある従来の靴と同じように歩行でき、外出先で容易にかかと部品の着脱または旋回移動が行えサンダルのようなかかと部分が開放した靴に換装が可能で、靴の中の足がかかと方向に退避することができ靴の中のつま先部に間隙を発生でき通気性を得られ、蒸れや締付けによるストレスを軽減しリラックスすることが可能である。また、靴の脱ぎ履きの際にかかと部品の開閉を行えば、従来の靴の足に対する厚み方向と巾方向の二方向の締付け調整に加えて足の前後方向も含めた三方向の締付け調整も可能である。また、かかと部開放時には不必要となるかかと部品は、元の靴本体の甲部に保持または固着できる係止部材も設けているので、カバンのような別途の保管用具を必要とせずに靴本体にかかと部品を保管して紛失を防ぐこともできる。また、かかと部を開放状態で玄関に置いておけば、日常の近場へお出かけの際にサンダル感覚で気軽に履き出かけることが可能である。また、かかと部品の後方下部には、靴本体のかかと部へかかと部品を装着の際の浸水対策用の防水用樹脂材を設けているので、靴のかかと部が開放する靴でありながらも雨天の際でも問題なく靴として使用することが可能である。
【発明を実施するための最良の形態】
【００１７】
以下、本発明の実施の形態を図面の参照に基づいて説明する。
【実施例１】
【００１８】
図１から図８は本発明のかかと部開放可能な靴において、かかと部品が係止部材により靴のかかと部から着脱自在であり、また靴本体より分離後のかかと部品を靴の甲部の係止部材により保持・保管が可能となることを特徴とする靴を例示した図面である。
【００１９】
図１は靴本体(１)のかかと部からかかと部品(２)が各係止部材により着脱自在である靴に関して、かかと部品(２)が靴本体(１)の足入れ口側面部(１ａ)の左右外面に各々設けられた面ファスナー(５ｃ)と、その対となるかかと部品(２)の左右に延在するかかと部品延在部(２ａ)の内面に各々設けられた面ファスナー(５ｄ)の係止、並びに靴本体(１)のかかと部後端部に設けられた係止用ベルト挿通材(４ａ)と、その対となるかかと部品(２)の外後面に設けられた下方に延在する帯状の面ファスナー(５ａ)(５ｂ)を備えた係止用ベルト(３)の係止により靴本体(１)のかかと部に装着され、歩行や運動に適した形態である状態を構成している。
【００２０】
図２は前記の靴に関して、靴本体(１)のかかと部に装着されていたかかと部品(２)を分離させた状態を表しており、靴本体(１)の足入れ口側面部(１ａ)の左右外面に各々設けられた面ファスナー(５ｃ)と、その対となるかかと部品(２)の左右のかかと部品延在部(２ａ)の内面に各々設けられた面ファスナー(５ｄ)との係止・係脱、並びに靴本体(１)のかかと部後端部に設けられた係止用ベルト挿通材(４ａ)と、かかと部品(２)の外後面に設けられた下方に延在する帯状の係止用ベルト(３)を挿通・折返し係止用ベルト(３)に備えられた面ファスナー(５ａ)(５ｂ)にて係止・係脱をすることにより、靴本体(１)とかかと部品(２)は自在に着脱を可能とする構造であり、これにより靴のかかと部の開放を行える構成している。
【００２１】
図３は前記の靴に関して、靴本体(１)のかかと部より分離させたかかと部品(２)を靴本体(１)の甲部へ各係止部材により保持させた状態を表しており、かかと部品(２)を靴本体(１)の甲部へ保持させる為に靴本体(１)の甲部には、かかと部品(２)が靴本体(１)のかかと部後端部の係止用ベルト挿通材(４ａ)と係止・係脱する為に使用していた係止用ベルト(３)を再度有効に利用するための係止用ベルト挿通材(４ｂ)が設けられており、かかと部品(２)の外後面に設けられた下方に延在する帯状の係止用ベルト(３)を挿通・折返し、係止用ベルト(３)に備えられた面ファスナー(５ａ)(５ｂ)にて靴本体(１)の甲部にも係止・係脱することが可能であり、またかかと部品(２)の左右のかかと部品延在部(２ａ)が靴の甲を覆うように取り付き、その部品延在部(２ａ)の内面に各々設けられた面ファスナー(５ｄ)が靴本体(１)の足入れ口側面部(１ａ)の左右外面に各々設けられた面ファスナー(５ｃ)に係止・係脱が可能であり、これらの作用により靴本体(１)のかかと部より分離したかかと部品(２)を靴本体(１)の甲部に保持することができ、また紛失する恐れを無くし効果的に保管を行える構成している。
ちなみに、かかと部品(２)を靴本体(１)の甲部に保持している際は、靴本体(１)の甲部に設けられている靴紐(１０)類の締付け具の使用は出来ないが、靴本体(１)のかかと部が開放状態であるため利用上差障りはないものと考える。
【００２２】
図４は前記の靴に関して、靴本体(１)のかかと部に装着されたかかと部品(２)のかかと部品延在部のみの係脱を行いかかと部の開閉をさせた状態を表しており、かかと部品(２)が靴本体(１)のかかと部に装着された状態より靴本体(１)の足入れ口側面部(１ａ)の左右外面各々に設けられた面ファスナー(５ｃ)と、その対となるかかと部品(２)の左右の延在部(２ａ)の内面に各々設けられた面ファスナー(５ｄ)の係脱のみを行い、靴本体(１)のかかと部後端部に設けられた係止用ベルト挿通材(４ａ)と、かかと部品(２)の外後面に設けられた係止用ベルト(３)は係止したまま残し、その係止部分を支点にかかと部品(２)は靴の後方に転倒自在とできる構造であり、これにより靴のかかと部の開閉が可能となり、かかと部を傷める事無く靴の脱ぎ履きを容易に行え、また従来の靴の足に対して厚み方向と巾方向の二方向のみの締付け調整に加えて、かかと部品の固着時には足の前後方向の締付け調整も可能な構成をしている。
【００２３】
図５は前記の靴に関して、かかと部品(２)が靴本体(１)のかかと部及び甲部に装着時の側面係止部材の面ファスナー(５ｃ)に対する双方の有効領域(１４)を表しており、靴本体(１)の足入れ口側面部(１ａ)の左右外面に各々設けられた面ファスナー(５ｃ)は、かかと部品(２)が靴本体(１)のかかと部に装着される時のかかと部品延在部(２ａ)の内面に各々設けられた面ファスナー(５ｄ)の位置及び面積と、かかと部品(２)が靴本体(１)の甲部に装着される時のかかと部品延在部(２ａ)の内面に各々設けられた面ファスナー(５ｄ)の位置及び面積の、双方の係止可能な有効領域(１４)に対応できる位置及び面積で構成をしている。
【００２４】
図６は前記の靴に関して、かかと部品(２)を表しており、このかかと部品(２)は足のかかとの後側を覆うようなＵ字状の形状を成し、足のかかとに接するかかと部品(２)の内側にはインナークッション(１２)が備えられており、またかかと部品(２)の左右より延在するかかと部品延在部(２ａ)の各々の内面には靴本体(１)の足入れ口側面部(１ａ)の左右外面に各々設けられた面ファスナー(５ｃ)への係止・係脱を目的とした面ファスナー(５ｄ)が設けられており、更にかかと部品(２)の外後面には靴本体(１)のかかと部後端部に設けられた係止用ベルト挿通材(４ａ)にかかと部品(２)を係止する為の面ファスナー(５ａ)(５ｂ)を備えた下方に延在する帯状の係止用ベルト(３)が設けられており、これらの係止・係脱により、かかと部品(２)は靴本体(１)のかかと部及び甲部に着脱が自在に行える構成をしている。
【００２５】
図７は前記の靴に関して、かかと部品(２)が靴本体(１)に着脱段階時の靴のかかと部のＡ−Ａ断面を示す断面図であり、かかと部品(２)の外後面に備えられた係止用ベルト(３)が靴本体(１)のかかと部後端部に設けられた係止用ベルト挿通材(４ａ)に挿通後折返し、係止用ベルト(３)に備えられている面ファスナー(５ａ)(５ｂ)の係止により、靴本体(１)のかかと部との一体化を形成できる構造であり、この構造により靴本体(１)のかかと部は歩行時であってもサンダルのかかと部のようにパタパタとならず、既存の靴と同様の使用感を得られる。また靴本体(１)のかかと部は開放された構造であるのでかかと部品(２)を装着していても浸水の恐れがあるが、かかと部品(２)の後方下部には浸水対策用の防水用樹脂材(９)を設けている。尚、靴のかかと部を開放してサンダルのように使用することが可能であるので、靴本体(１)のかかと部後端部に設けられる係止用ベルト挿通材(４ａ)は、利用者の邪魔にならないように靴本体(１)の中底(１３)のレベルラインより上方に突出しない位置に設ける必要がある。
【００２６】
図８は実施例１の靴本体(１)のかかと部よりかかと部品(２)が着脱自在あり、また靴本体(１)より分離後のかかと部品(２)を靴の甲部に保持・保管が可能であることを特徴とする靴の使用手順例を示す図である。図８の(あ)はかかと部品(２)が靴本体(１)のかかと部に装着されて既存の靴と同様の形態を示す図である。図８の(い)はかかと部品(２)の外後面に設けられた係止用ベルト(３)の面ファスナー(５ａ)(５ｂ)の係脱した状態を示す図である。図８の(う)はかかと部品(２)の左右より延在するかかと部品延在部(２ａ)の内面に各々設けられた面ファスナー(５ｄ)を靴本体(１)の足入れ口側面部(１ａ)の左右外面に各々設けられた面ファスナー(５ｃ)より係脱した状態を示す図である。図８の(え)は靴本体(１)のかかと部よりかかと部品(２)を分離した状態を示す図である。図８の(お)は靴本体(１)の甲部に設けられた係止用ベルト挿通材(４ｂ)にかかと部品(２)の外後面に設けられた係止用ベルト(３)を挿通した状態を示す図である。図８の(か)は靴本体(１)とかかと部品(２)が各係止用部材により係止されかかと部品(２)が靴本体(１)の甲部に保持・保管された状態を示す図である。
【００２７】
以下、上記構成の動作を説明する。本発明のかかと部開放可能な靴は、実施例１において、通常の歩行などの使用に支障が無いように歩行時には靴本体(１)のかかと部にかかと部品(２)が装着できる構造であり、既存の靴と同様に使用できる(図８の(あ))。靴のかかと部を開放する手順の第一に、靴本体(１)に装着されたかかと部品(２)の外後面に設けられた係止用ベルト(３)の面ファスナー(５ａ)(５ｂ)の係脱を行う(図８の(い))。第二にかかと部品(２)の左右より延在するかかと部品延在部(２ａ)の内面に各々設けられた面ファスナー(５ｄ)を靴本体(１)の足入れ口側面部(１ａ)の左右外面に各々設けられた面ファスナー(５ｃ)より係脱を行う(図８の(う))。第三に靴本体(１)との各係止部材より係脱したかかと部品(２)を靴本体(１)のかかと部より分離を行う(図８の(え))。第四に靴本体(１)のかかと部より分離したかかと部品(２)を靴本体(１)の甲部に移動させ、かかと部品(２)の外後面に設けられた係止用ベルト(３)を靴本体(１)の甲部に設けられた係止用ベルト挿通材(４ｂ)に挿通を行う(図８の(お))。第五に靴本体(１)の甲部の係止用ベルト挿通材(４ｂ)に挿通後のかかと部品(２)の外後面に設けられた係止用ベルト(３)を折返し係止用ベルト(３)に備えられた面ファスナー(５ａ)(５ｂ)を係止し、またかかと部品(２)の左右より延在するかかと部品延在部(２ａ)の内面に各々設けられた面ファスナー(５ｄ)を靴本体(１)の足入れ口側面部(１ａ)の左右外面に各々設けられた面ファスナー(５ｃ)に係止することでかかと部品(２)を靴本体(１)の甲部に保持・保管できる(図８の(か))。
【００２８】
この時、本発明のかかと部開放可能な靴は、外出の際の歩行時にはかかとのある普通の靴と同じように使用でき、外出先で容易にかかと部品(２)の着脱が行え靴のかかと部を開放して靴内のつま先部に間隙を得られるように靴を浅く履き、靴内の蒸れを防ぎ足のリラックスを行うことが可能であり、またサンダルのようにかかと部を開放したままでも歩行は可能である。さらに靴のかかと部より取外したかかと部品(２)を同じ靴の甲部に保持・保管することにより、例えばカバンのような別途の保管用具を必要とせず、またかかと部品(２)の紛失を防ぐことにもなり効果的である。以上のように、本実施形態の実施例１によれば靴とサンダルの機能を有する事が可能になるものである。
【実施例２】
【００２９】
図９から図１２は本発明のかかと部開放可能な靴において、かかと部品が回転可能部材により靴のかかと部と甲部の間を旋回移動が自在であり、また靴のかかと部及び靴の甲部の係止部材により固着だ可能となることを特徴とする靴を例示した図面である。
【００３０】
図９は靴本体(１)のかかと部と甲部の間をかかと部品(２)が回転可能部材(６)を支点に旋回移動を行える靴に関して、かかと部品(２)は靴本体(１)の足入れ口側面部(１ａ)の左右外面に各々設けられた回転可能部材(６)により連結されており、また靴本体(１)のかかと部後端部に設けられた係止用ボタン状ホック(７ａ)がかかと部品(２)の外後面下部に設けられた係止用ボタン状ホック(７ｂ)との嵌合によりかかと部品(２)は靴本体(１)のかかと部に固着され、歩行や運動に適した形態である状態を構成している。
【００３１】
図１０は前記の靴に関して、靴本体(１)のかかと部に固着されていたかかと部品(２)が、かかと部品(２)の外後面下部に設けられた係止用ボタン状ホック(７ｂ)を靴本体(１)のかかと部後端部に設けられた係止用ボタン状ホック(７ａ)より係脱し、靴本体(１)の足入れ口側面部(１ａ)の左右の外面に各々設けられた回転可能部材(６)を支点に旋回移動中の状態を表しており、靴本体(１)の足入れ口側面部(１ａ)の左右外面に各々設けられた回転可能部材(６)の回転可動機能の作用により、靴本体(１)のかかと部位置から靴本体(１)の甲部位置へとかかと部品(２)の旋回移動を遂行できる構造であり、これにより靴のかかと部の開放を行える構成をしている。
【００３２】
図１１は前記の靴に関して、靴本体(１)のかかと部より旋回移動させたかかと部品(２)を靴本体(１)の甲部に保持させた状態を表しており、かかと部品(２)を靴本体(１)の甲部へ保持させる為に靴本体(１)の甲部には、係止用ボタン状ホック(７ｄ)が設けられており、かかと部品(２)の外後面上部に設けられている係止用ボタン状ホック(７ｃ)と嵌合させることによりかかと部品(２)を靴本体(１)の甲部に係止・係脱することが可能であり、靴本体(１)のかかと部より旋回移動したかかと部品(２)を靴本体(１)の甲部に保持することができ、効果的に保管を行える構成をしている。
【００３３】
靴本体(１)の足入れ口側面部(１ａ)に設けられた回転可能部材(６)は、かかと部品(２)が靴本体(１)のかかと部に固着される時の位置と、かかと部品(２)が靴本体(１)の甲部に固着される時の位置の双方の有効距離に対応できる位置に設定されている構成をしている。
ちなみに、かかと部品(２)を靴本体(１)の甲部に保持している際は、靴本体(１)の甲部に設けられている靴紐(１０)類の締付け具の使用は出来ないが、靴本体(１)のかかと部が開放状態であるため利用上差障りはないものと考える。
【００３４】
図１２は実施例２の靴本体(１)のかかと部よりかかと部品(２)が靴本体(１)の足入れ口側面部(１ａ)の左右の外面に各々設けられた回転可能部材(６)を支点に、靴本体(１)のかかと部位置から靴本体(１)の甲部位置へかかと部品(２)の旋回移動が可能であることを特徴とする靴の使用手順例を示す図である。図１２の(き)はかかと部品(２)が靴本体(１)のかかと部に固着されて既存の靴と同様の形態を示す図である。図１２の(く)はかかと部品(２)の外後面下部一つ以上設けられた係止用ボタン状ホック(７ｂ)を靴本体(１)のかかと部後端部に設けられた係止用ボタン状ホック(７ａ)から係脱した状態を示す図である。図１２の(け)はかかと部品(２)が靴本体(１)の足入れ口側面部(１ａ)の左右の外面に各々設けられた回転可能部材(６)を支点に靴本体(１)のかかと部より靴本体(１)の甲部へ旋回移動中の状態を示す図である。図１２の(こ)は前記の旋回移動の後かかと部品(２)が靴本体(１)の甲部へ到達した状態を示す図である。図１２の(さ)は靴本体(１)の甲部に設けられた係止用ボタン状ホック(７ｄ)にかかと部品(２)の外後面上方に設けられた係止用ボタン状ホック(７ｃ)を嵌合し、かかと部品(２)が係止され靴本体(１)の甲部に保持された状態を示す図である。
【００３５】
以下、上記構成の動作を説明する。本発明のかかと部開放可能な靴は、実施例２おいて、通常の歩行などの使用に支障が無いように歩行時には靴本体(１)のかかと部にかかと部品(２)が固着できる構造であり、既存の靴と同様に使用できる(図１２の(き))。靴のかかと部を開放する手順の第一に、靴本体(１)に固着されたかかと部品(２)の外後面下部に一つ以上設けられた係止用ボタン状ホック(７ｂ)を靴本体(１)のかかと部後端部に設けられた係止用ボタン状ホック(７ａ)から係脱を行う(図１２の(く))。第二にかかと部品(２)が靴本体(１)の足入れ口側面部(１ａ)の左右の外面に各々設けられた回転可能部材(６)を支点に靴本体(１)のかかと部より靴本体(１)の甲部へ旋回移動を遂行し(図１２の(け))、その後かかと部品(２)を靴本体(１)の甲部位置まで到達させる(図１２の(こ))。第三に靴本体(１)の甲部に設けられた係止用ボタン状ホック(７ｄ)にかかと部品(２)の外後面上方に設けられた係止用ボタン状ホック(７ｃ)を嵌合することで、かかと部品(２)が係止され靴本体(１)の甲部に保持・保管できる(図１２の(さ))。
【００３６】
この時、本発明のかかと部開放可能な靴は、外出の際の歩行時にはかかとのある普通の靴と同じように使用でき、外出先で容易にかかと部品(２)を靴のかかと部より靴の甲部に旋回移動でき、靴のかかと部を開放して靴内のつま先部に間隙を得られるように靴を浅く履き、靴内の蒸れを防ぎ足のリラックスを行うことが可能であり、またサンダルのようにかかと部を開放したままでも歩行は可能である。以上のように、本実施形態の実施例２によれば靴とサンダルの機能を有する事が可能になるものである。
【００３７】
図１３から図１６は本発明のかかと部開放可能な靴において、靴のかかと部からかかと部品が着脱自在とすることを特徴とする靴の係止用部材の一実施例を例示した図面である。
【００３８】
図１３は靴本体(１)のかかと部よりかかと部品(２)が着脱自在である靴に関して、靴本体(１)及びかかと部品(２)を分離させた状態において、靴本体(１)とかかと部品(２)を着脱可能にするためである係止部材の一実施例を表しており、かかと部品(２)の外後面下部に設けられた係止用フック(８)は任意の巾の半円筒形状のフックであり、靴本体(１)のかかと部後端部に埋設された構造で設けられている係止用フック挿通材(４ｃ)に係止・係脱、及びかかと部品(２)の左右のかかと部品延在部(２ａ)の各内面に各々設けられた面ファスナー(５ｄ)を、靴本体(１)の足入れ口側面部(１ａ)の左右外面に各々設けられた面ファスナー(５ｃ)に係止・係脱することにより、かかと部品(２)を靴本体(１)のかかと部に自在に着脱でき、またかかと部品(２)の外後面下部に設けられた係止用フック(８)を、靴本体(１)の甲部に設けられている係止用フック挿通材(４ｂ)に係止・係脱、及びかかと部品(２)の左右のかかと部品延在部(２ａ)の各内面に各々設けられた面ファスナー(５ｄ)を、靴本体(１)の足入れ口側面部(１ａ)の左右外面に各々設けられた面ファスナー(５ｃ)に係止・係脱することにより、かかと部品(２)を靴本体(１)の甲部に自在に着脱及び保管ができる構成をしている。
【００３９】
図１４は前記の靴の係止部材の一実施例に関して、かかと部品(２)が靴本体(１)に装着時の靴のかかと部のＢ−Ｂ断面を示す断面図であり、かかと部品(２)の外後面下部に備えられた係止用フック(８)が靴本体(１)のかかと部後端部に設けられた係止用フック挿通材(４ｃ)に挿通・係止により、靴本体(１)のかかと部との一体化を形成できる構造であり、この構造により靴本体(１)のかかと部は歩行時であってもサンダルのかかと部のようにパタパタとならず、既存の靴と同様の使用感を得られる。また靴本体(１)のかかと部は開放された構造であるのでかかと部品(２)を装着していても浸水の恐れがあるが、かかと部品(２)の後方下部には浸水対策用の防水用樹脂材(９)を設けている。尚、靴のかかと部を開放してサンダルのように使用することが可能であるので、靴本体(１)のかかと部後端部に設けられる係止用フック挿通材(４ｃ)は、利用者の邪魔にならないように靴本体(１)の靴の中底(１３)のレベルラインより上方に突出しない位置に設ける必要がある。
【００４０】
図１５は靴本体(１)のかかと部よりかかと部品(２)が着脱自在である靴に関して、靴本体(１)及びかかと部品(２)を分離させた状態において、靴本体(１)とかかと部品(２)を着脱可能にするためである係止部材の一実施例を表しており、かかと部品(２)の外後面下部に１つ以上設けられた係止用ボタン状ホック(７ｂ)及びかかと部品(２)の左右のかかと部品延在部(２ａ)の各内面に１つ以上設けられた係止用ボタン状ホック(７ｆ)は、靴本体(１)のかかと部後端部に１つ以上設けられた係止用ボタン状ホック(７ａ)及び靴本体(１)の足入れ口側面部(１ａ)の左右各外面に１つ以上設けられた係止用ボタン状ホック(７ｅ)と係止・係脱することにより、かかと部品(２)を靴本体(１)のかかと部に自在に着脱でき、またかかと部品(２)の外後面下部に１つ以上設けられた係止用ボタン状ホック(７ｂ)及びかかと部品(２)の左右のかかと部品延在部(２ａ)の各内面に設けられた係止用ボタン状ホック(７ｆ)が、靴本体(１)の甲部に１つ以上設けられた係止用ボタン状ホック(７ｄ)及び靴本体(１)の足入れ口側面部(１ａ)の左右各外面に設けられた係止用ボタン状ホック(７ｅ)と係止・係脱することにより、かかと部品(２)を靴本体(１)の甲部に自在に着脱及び保管ができる構成である。
【００４１】
図１６は靴本体(１)のかかと部よりかかと部品(２)が着脱自在である靴に関して、靴本体(１)及びかかと部品(２)を分離させた状態において、靴本体(１)とかかと部品(２)を着脱可能にするためである係止部材の一実施例を表しており、靴本体(１)のかかと部後端部に設けられた係止用ベルト挿通材(４ｄ)及び靴本体(１)の足入れ口側面部(１ａ)の左右外面に各々設けられた係止用ベルト挿通材(４ｅ)に、かかと部品(２)の外後面より下方に延在する帯状の面ファスナー(５ａ)(５ｂ)を備えた係止用ベルト(３)及びかかと部品(２)の左右より前方向に延在する帯状の面ファスナー(５ｅ)(５ｆ)を備えた係止用ベルト(３ａ)を挿通・折返し、各係止用ベルト(３)(３ａ)に備えられた面ファスナー(５ａ)(５ｂ)(５ｅ)(５ｆ)にて係止・係脱することにより、かかと部品(２)を靴本体(１)のかかと部に自在に着脱でき、また靴本体(１)の甲部に設けられた係止用ベルト挿通材(４ｂ)及び靴本体(１)の足入れ口側面部(１ａ)の左右外面に各々設けられた係止用ベルト挿通材(４ｅ)に、かかと部品(２)の外後面より下方に延在する帯状の面ファスナー(５ａ)(５ｂ)を備えた係止用ベルト(３)及びかかと部品(２)の左右より前方向に延在する帯状の面ファスナー(５ｅ)(５ｆ)を備えた係止用ベルト(３ａ)を挿通・折返し、各係止用ベルト(３)(３ａ)に備えられた面ファスナー(５ａ)(５ｂ)(５ｅ)(５ｆ)にて係止・係脱することにより、かかと部品(２)を靴本体(１)の甲部に自在に着脱及び保管ができる構造である。
【００４２】
靴本体(１)の足入れ口側面部(１ａ)は、靴の強度を高めるため及びかかと部品(２)のかかと部品延在部(２ａ)との係止部材の係止面積を広域にするために、可能な限り靴本体(１)のかかと部の後端に近い位置まで延ばすことが望ましい。
【００４３】
本発明のかかと部開放可能な靴は上記の実施例に限定するものではなく、カジュアルシューズ・運動靴・ビジネスシューズなどの各種の靴に適用でき、また本発明の要旨を逸脱しない範囲の改良等は本発明に含まれるものとする。
【図面の簡単な説明】
【００４４】
【図１】本発明の実施形態を示す実施例１のかかと部品が靴本体のかかと部に装着の状態を示す斜視図
【図２】同実施例１のかかと部品が靴本体より分離の状態を示す斜視図
【図３】同実施例１のかかと部品が靴本体の甲部に保持され靴のかかと部が開放の状態を示す斜視図
【図４】同実施例１のかかと部品延在部のみの係脱を行いかかと部の開閉を示す斜視図
【図５】同実施例１のかかと部品が靴本体のかかと部及び甲部に装着時の側面係止部材の面ファスナーに対する双方の有効領域を示す側面図
【図６】同実施例１のかかと部品を示す斜視図
【図７】同実施例１のかかと部のＡ−Ａ断面を示す断面図
【図８】同実施例１の使用手順を示す斜視図
【図９】本発明の実施形態を示す実施例２のかかと部品が靴本体のかかと部に固着の状態を示す斜視図
【図１０】同実施例２のかかと部品が靴本体の足入れ口の左右外側面の回転可能部材を支点に回転可動を行う状態を示す斜視図
【図１１】同実施例２のかかと部品が靴本体の甲部に保持され靴のかかと部が開放の状態を示す斜視図
【図１２】同実施例２の使用手順を示す斜視図
【図１３】本発明の靴本体とかかと部品の係止部材の一実施例を示す斜視図
【図１４】図１１の靴本体にかかと部品装着時のＢ−Ｂ断面を示す断面図
【図１５】本発明の靴本体とかかと部品の係止部材の一実施例を示す斜視図
【図１６】本発明の靴本体とかかと部品の係止部材の一実施例を示す斜視図
【符号の説明】
【００４５】
１    靴本体
１ａ  足入れ口側面部
２    かかと部品
２ａ  かかと部品延在部
３    係止用ベルト
３ａ  係止用ベルト
４ａ  係止用ベルト挿通材
４ｂ  係止用ベルト挿通材
４ｃ  係止用フック挿通材
４ｄ  係止用ベルト挿通材
４ｅ  係止用ベルト挿通材
５ａ  面ファスナー
５ｂ  面ファスナー
５ｃ  面ファスナー
５ｄ  面ファスナー
５ｅ  面ファスナー
５ｆ  面ファスナー
６    回転可能部材
７ａ  係止用ボタン状ホック
７ｂ  係止用ボタン状ホック
７ｃ  係止用ボタン状ホック
７ｄ  係止用ボタン状ホック
７ｅ  係止用ボタン状ホック
７ｆ  係止用ボタン状ホック
８    係止用フック
９    防水用樹脂材
１０    靴紐
１１    靴底
１２    インナークッション
１３    靴の中底
１４    有効領域
【要約】 
【課題】  従来の靴では外出時に長時間履き続けていると靴の中が蒸れて不快になることがあり、リラックスする為に靴の半脱ぎ状態に至り靴のかかと部を踏み結果的に傷める原因を招いていたが、この問題を解決するためのかかと部開放可能な靴を提供する。
【解決手段】  かかと部開放可能な靴において、靴本体(１)とかかと部品(２)は各係止部材により係止・係脱が可能な構造で、歩行時にはかかと部品(２)を靴本体(１)のかかと部に装着し、かかとのある従来の靴と同じように使用でき、外出先でリラックスしたい時には容易にかかと部品(２)の着脱が行え、サンダルのようなかかと部が開放した靴に換装が可能であり、また、かかと部開放時には不必要となるかかと部品(２)は、元の靴本体(１)の甲部に着脱可能な機能も設けているので、カバンのような別途の保管用具を必要とせずに靴本体(１)の甲部に保管して紛失を防ぐことができる。
【選択図】  図２
【図１】
0003679405.tif 000002
【図２】
0003679405.tif 000003
【図３】
0003679405.tif 000004
【図４】
0003679405.tif 000005
【図５】
0003679405.tif 000006
【図６】
0003679405.tif 000007
【図７】
0003679405.tif 000008
【図８】
0003679405.tif 000009
【図９】
0003679405.tif 000010
【図１０】
0003679405.tif 000011
【図１１】
0003679405.tif 000012
【図１２】
0003679405.tif 000013
【図１３】
0003679405.tif 000014
【図１４】
0003679405.tif 000015
【図１５】
0003679405.tif 000016
【図１６】
0003679405.tif 000017